(57)【要約】【課題】  玩具の走行性に直進性を有し、見た目にかわいく、段差や傾斜面を用いて容易に進路変更が可能な脚部や車輪を有しない走行玩具を提供するものである。【解決手段】  平坦な底面23と少なくとも前記底面23の前方部分に湾曲面25を備える底部21と、略半球形状の上カバー15部とによる本体部11を有し、前記上カバー15の内部に振動機構を備え、前記底面23の中央よりも後方に前記底面23から下方に突出する突出部材27を有し、前記突出部材27の先端に軟質弾性部材29を備えた走行玩具10とする。【選択図】    図１
2014176557.tif 000002
【特許請求の範囲】
【請求項１】
平坦な底面と少なくとも前記底面の前方部分に湾曲面を備える底部と、略半球形状の上カバー部とによる本体部を有し、前記本体部の内部に振動機構を備え、前記底面の中央よりも後方に前記底面から下方に突出する突出部材を有し、前記突出部材の先端に軟質弾性部材を備えることを特徴とする走行玩具。
【請求項２】
前記振動機構は、モータと偏心重錘とにより構成され、モータにより偏心重錘を回転駆動することを特徴とする請求項１に記載した走行玩具。
【請求項３】
前記偏心重錘は、本体部の左右方向を回転軸の軸方向とし、本体部の前後方向中心線上における前記本体部の前方部分に配置されることを特徴とする請求項２に記載した走行玩具。
【請求項４】
前記軟質弾性部材は、球面状湾曲面を有して前記突出部材の下面中央位置を下方に突出させていることを特徴とする請求項１乃至請求項３の何れかに記載した走行玩具。
【請求項５】
前記突出部材は、円柱形状又は円筒形状とされた樹脂製であることを特徴とする請求項１乃至請求項４の何れかに記載した走行玩具。
【請求項６】
前記本体部は、前記突出部材を除いて全体が布帛で覆われていることを特徴とする請求項１乃至請求項５の何れかに記載した走行玩具。
【発明の詳細な説明】
【技術分野】
【０００１】
本発明は、偏心重錘を回転させる際の振動により走行移動する走行玩具に関するものである。
【背景技術】
【０００２】
今日、走行玩具には、車輪を用いて玩具を走行させるものが多く用いられているも、動物やキャラクタの形状を模した玩具では、車輪を玩具本体の下部に見えないように配置しても走行動作において面白味に欠けるものが多かった。
【０００３】
また、車輪を用いずに玩具を移動または走行させる走行玩具も種々提案されて現実に玩具として提供されているものがある。
【０００４】
この車輪を用いない走行玩具では、偏心重錘を回転させて振動を生じさせる振動モータと電池とを玩具本体に内蔵し、本体部の下部には可動性を有する脚を傾斜させて設けた動物を模した玩具があり、本体部の振動により傾斜した脚の伸縮変形により前進させるようにしたものがある（例えば特許文献１）。
【０００５】
また、面白味の有る動作を行う玩具として、ボディ本体に渦巻バネにより回転する回転軸に偏心重錘を設けて振動を生じさせ、ボディ本体を支持する弾性体による脚部を有する玩具も提案されている（例えば特許文献２）。
【先行技術文献】
【特許文献】
【０００６】
【特許文献１】特表２０１３―５０５７８７号公報
【特許文献２】特開平０５―３４３７６７号公報
【発明の概要】
【発明が解決しようとする課題】
【０００７】
上述の偏心重錘を用いた振動による動作を行う玩具は、種々の動物の形態を模しているも、脚を有する形態とされ、見た目にかわいげのある玩具とするには困難な場合があり、また、動作において、移動方向に直進性に欠けるものであった。
【０００８】
本発明に係る玩具は、上記の問題点を解決し、玩具の走行性に直進性を有し、見た目にかわいく、段差や傾斜面を用いて容易に進路変更が可能な脚部や車輪を有しない走行玩具を提供するものである。
【課題を解決するための手段】
【０００９】
本発明に係る走行玩具は、平坦な底面と少なくとも前記底面の前方部分に湾曲面を備える底部と、略半球形状の上カバー部とによる本体部を有し、前記本体部の内部に振動機構を備え、前記底面の中央よりも後方に前記底面から下方に突出する突出部材を有し、前記突出部材の先端に軟質弾性部材を備えることを特徴とする。
【００１０】
また、前記振動機構は、モータと偏心重錘とにより構成され、モータにより偏心重錘を回転駆動することを特徴とする。
【００１１】
そして、前記偏心重錘は、本体部の左右方向を回転軸の軸方向とし、本体部の前後方向中心線上における前記本体部の前方部分に配置されることを特徴とする。
【００１２】
更に、前記軟質弾性部材は、球面状湾曲面を有して前記突出部材の下面中央位置を下方に突出させていることを特徴とする。
【００１３】
また、前記突出部材は、円柱形状又は円筒形状とされた樹脂製であることを特徴とする。
【００１４】
そして、前記本体部は、前記突出部材を除いて全体が布帛で覆われていることを特徴とする。
【発明の効果】
【００１５】
本発明は、少なくとも前方部分に湾曲面を備える平坦な底部の中央よりも後方に底面から下方に突出する突出部材を有する故、本体部の後方を突出部材により持ち上げるように支持して本体部を前傾させ、振動機構により本体部を振動させることにより本体部が接地面から僅かに跳ねる際、前方への移動力を発生させて前進することを可能とし、突出部材の先端の軟質弾性部材により確実に前進を行わせ、後方の一点支持と前方の湾曲面とにより接地支持されることにより安定した直進性を有する前進移動を行わせることができる。
【００１６】
また、モータにより偏心重錘を回転させる振動機構は、小型モータと偏心重錘により小型化が容易であり、ボタン電池との組み合わせにより小型の走行玩具としてかわいげのある玩具とすることが容易に可能となる。
【００１７】
そして、偏心重錘の回転軸を左右方向とし、前後方向中心線上における本体部の前方部分に配置することにより、斜め前方への前進力を本体部の前方部分で生じさせ、直進性の優れた振動による走行を行う走行玩具とすることができる。
【００１８】
更に、突出部材の下方先端の軟質弾性部材を球面状湾曲面を有する形状とすることにより、安定した接地を行わせることができる。
【００１９】
また、突出部材を円柱状又は円筒状の樹脂製として先端に軟質弾性体を備える構造とすることにより、湾曲面を有する軟質弾性体よりも僅かに高い段差を接地面に設けることにより、段差を樹脂製の突出部材に接触させて走行玩具を容易に誘導して走行させることができる。
【００２０】
そして、この走行玩具の本体部全体を布帛で覆うことにより、温か味とかわいげのあるキャラクタ性を備えた種々の走行玩具とすることが容易に可能となる。
【図面の簡単な説明】
【００２１】
【図１】本発明に係る走行玩具の外観を示す図。
【図２】本発明に係る走行玩具の本体部の上面斜視図。
【図３】本発明に係る走行玩具の本体部側面図。
【図４】本発明に係る走行玩具の内部構造を示す斜視図。
【図５】本発明に係る走行玩具をスプーンに乗せた状態を示す図。
【図６】本発明に係る走行玩具のステージの一例を示す図。
【図７】本発明に係る走行玩具がステージの段差に乗った状態を示す図。
【発明を実施するための形態】
【００２２】
本発明に係る走行玩具の実施形態は、図１に示すように、布帛カバー51と本体部11とにより構成され、本体部11は、内部に振動機構31を有し、底部21の底面23に円柱状の突出部材27を有し、厚手の布地により形成された布帛カバー51の開口部53から布帛カバー51の内部に収納され、布帛カバー51に設けた穴55から突出部材27を突出させるようにして全体を布帛カバー51に覆われるものである。
【００２３】
この本体部11は、上カバー15と底部21とで構成され、図２及び図３に示すように、上カバー15の上面にスイッチボタン17を有し、布帛カバー51の上からスイッチボタン17を押しこむことにより本体部11に収納した振動機構31を作動又は作動している振動機構31を停止させることができるものである。
【００２４】
そして、上カバー15及び底部21は樹脂製とし、上カバー15は略半球形状の両側を平行な平面で切り落とした形状とし、底部21は、円形の平坦平面形状として底面23及び底面23の周囲から上方へ湾曲する湾曲面25を有して湾曲面25の一部が上カバー15の切り落とし平面と連続する平面で一部が切り落とした形状とし、本体部11の外観形状を両側の切り落とし面と平行な中央平面の面対称としているものである。
【００２５】
更に、底部21には両側の切り落とし面と平行な中心線上であって、底面23の中央よりもずれた位置に底面23から突出する円筒状の突出部材27を底部21と一体成型により形成することにより備え、この突出部材27の先端には軟質弾性部材29が接着固定されるものである。
【００２６】
そして、この軟質弾性部材29は、球面状の曲面により下方中央を突出させた形状としているものである。
【００２７】
尚、底部21の両側に形成した切り落とし面と平行な中心線の方向を当該走行玩具10の前後方向とし、突出部材27が形成された方向を走行玩具10の後方とし、前方に向いて中心線と直交する方向を走行玩具10の左右として以下に説明する。
【００２８】
この走行玩具10の内部には、図４に示すように、電池49と振動機構31としてのモータ33及び偏心重錘43を有するものであり、電池49はボタン電池を用いて走行玩具10を小型化することを可能としている。
【００２９】
また、振動機構31とするモータ33のモータ軸35にピニオン37を固定し、このピニオン37と噛合するクラウンギア39を回転軸41に固定し、走行玩具10の前後方向中心線と直交する左右方向を回転軸41の軸方向とするように配置している。
【００３０】
この回転軸41には重り部45を回転軸41から外した偏心重錘43を固定し、この偏心重錘43は走行玩具10の前後方向中心線上であって走行玩具10の中心位置よりも前方に配置するものである。
【００３１】
また、この走行玩具10では、ボタン電池の取付位置とモータ33の取付位置とにより走行玩具10の左右の重量が略同一となるように前後方向中心線を中心とする左右の重量均衡を図っている。
【００３２】
従って、この走行玩具10は、本体部11を布帛カバー51で覆い、布帛カバー51の穴55から突出部材27を露出させて走行面に載置すると、布帛カバー51で覆われた底部21の前方湾曲面25の部分と、布帛カバー51から突出する突出部材27の先端に設けた軟質弾性部材29とを走行面に接触させた前傾姿勢とすることができる。
【００３３】
そして、布帛カバー51の上からスイッチボタン17を押し込むと、偏心重錘43を回転させるようにして振動機構31を作動させ、走行玩具10が振動することになる。
【００３４】
この振動により布帛カバー51を備えた底部21の湾曲面25は走行面からの反発を受け、軟質弾性部材29は圧縮と反発を繰り返し、この走行玩具10は本体部11が前傾していることにより上方斜め前方への振動による分力を生じさせて前方への移動走行を開始する。
【００３５】
そして、この走行玩具10は、前後方向中心線を中心として左右の重量バランスに均衡を持たせて前傾させているため、前方への移動が容易であり、偏心重錘43による駆動力が走行玩具10の前方で発生するために走行玩具10の前方で前進力を発生させて安定した直進性を備えた走行を平地面で行うものである。
【００３６】
更に、布帛カバー51にはラットを模した絵柄や子猫を模した絵柄などを描くことにより、かわいげのある外観と前進走行を行わせることができ、図５に示すように、スプーン95などに乗せて走行場所を移動させることもできる。
【００３７】
そして、この走行玩具10の走行場所としては、図６に示すようなステージ60を用いることもある。
【００３８】
このステージ60は、家屋を模したハウス部71と、ハウス部71の前方に庭を模した庭園部61とを有し、ハウス部71の一階部分の室内73には回遊路79やベッド77を配し、二階部分の広間75には周囲に誘導段差81及び誘導傾斜83を形成し、滑り台65を設けるものである。
【００３９】
また、庭園部61にはプールを模した窪み63を設けると共にハウス部71の室内73に走行玩具10を導く傾斜面としたスロープ67を設けるものである。
【００４０】
このベッド77は、スプーン形状又はバス形状の凹部として走行玩具10を収納しておくものとし、この走行玩具10を例えば広間75に載置してスイッチボタン17を押し込むと走行玩具10は広間75において走行を開始するものである。
【００４１】
そして、広間75の周囲に設けた誘導段差81及び誘導傾斜83によって走行玩具10は誘導段差81に沿って前進し、滑り台65から庭園部61に滑り降りる動作を行わせることができるものである。
【００４２】
この誘導段差81と誘導傾斜83は、平行曲線又は平行直線として段差と傾斜とを並べて形成しているものであり、図７に示すように、この誘導段差81とする段差は走行面91から突出部材27に接する高さとし、走行玩具10の底面23から軟質弾性部材29の中央先端までの高さよりも低い高さとするものである。
【００４３】
そして、誘導傾斜83は、誘導段差81の上端から更に上方に湾曲する傾斜であって、軟質弾性部材29の中央先端から底面23までの高さよりも、走行面91からの高さを僅かに高い高さに至るものとし、走行玩具10の円柱状の突出部材27の前側表面から底面23の前端までの距離よりも短い距離の幅の範囲内で誘導段差81の上端から傾斜上昇させるものである。
【００４４】
このように、誘導段差81と、この誘導段差81に沿った誘導傾斜83とを設けるため、底面23の前方に形成した湾曲面25により走行玩具10の前端が誘導段差81を乗り越えても、誘導段差81が円柱形状の突出部材27に接する高さとされているために、走行玩具10の後方は突出部材27が誘導段差81に接触して突出部材27が誘導段差81に乗ることができず、走行玩具10の前方への移動は阻止される。
【００４５】
そして、突出部材27が誘導段差81に接触するとき、走行玩具10の前方は誘導段差81に沿って形成した誘導傾斜83により持ち上げられ、誘導傾斜83の斜面に沿って走行玩具10の前端を誘導傾斜83に沿って降下させるように右または左に方向を変えることとなり、前部を誘導段差81に乗せて誘導段差81に突出部材27を沿わせるようにして斜め前方に誘導段差81に沿って移動することになる。
【００４６】
そして、誘導段差81及び誘導傾斜83が切断されている滑り台65の位置で滑り台65により庭園部61に滑り下ろすことができる。
【００４７】
また、庭園部61の周囲には、走行玩具10の底部21の厚みよりも高い高さとする段差部89を形成して走行玩具10が庭園部61から外に落ちないようにしている。
【００４８】
更に、この庭園部61にはプールを模した窪み63を形成し、走行玩具10が窪み63に落ち込んだときは窪み63から出ないように窪み63の周縁には庭園部61の外周に設けた段差部89と略同一高さの段差部89を形成している。
【００４９】
また、庭園部61とハウス部71とを接続するスロープ67は、走行玩具10の底面23が水平となることなく底面23の前傾が維持される緩やかな傾斜として走行玩具10が前進する際にこのスロープ67を登攀可能とし、斜面を上る楽しみを与え、スロープ67の直近の室内73に回遊路79を設けているものである。
【００５０】
この回遊路79は、広間75に形成した誘導段差81と誘導傾斜83と同様の段差及び傾斜を誘導傾斜83を外側として同心円形状に形成し、誘導段差81と誘導傾斜83との切断部分をスロープ67の上端に合わせるように形成するものである。
【００５１】
従って、スロープ67を上った走行玩具10は、誘導段差81と誘導傾斜83の切断部分から円形に形成された誘導段差81と誘導傾斜83による回遊路79の内側に侵入し、突出部材27を誘導段差81に当接して右回り又は左回りで回遊路79に沿って前進し、回遊路79の切断部分からスロープ67に戻るようにして屋内から出てくることになる。
【００５２】
このように、ステージ60には走行玩具10が乗り越え無い高さの高い段差部89により走行玩具10の前進を阻止し、誘導段差81とする高さの低い段差により走行玩具10を段差に沿って移動させ、ステージ60の上で種々の走行動作をさせることができる。
【００５３】
また、このステージ60には、丘陵形状に盛り上げた誘導突出部85を適宜配置し、この誘導突出部85を走行玩具10が乗り越える際、又は誘導突出部85を登攀中に誘導突出部85の湾曲する傾斜面によって走行玩具10が前進方向を変化させるようにするものである。
【００５４】
更に、棒状の突起体87を障害物として設け、進行方向を変化させるようにすることもあり、直進性を有する走行玩具10の進路を、補助具とするステージ60に設けた段差や傾斜面、障害物によって変化させて楽しむようにするものである。
【００５５】
このように、この走行玩具10は、本体部11の内部に振動機構31を備え、底面23の後方に突出部材27を有して底面23を前傾させた玩具であるから、種々のキャラクタの模様や動物の外観を外面に施して、小型でかわいげのある脚を備えない走行玩具10とすることができる。
【００５６】
また、この走行玩具10は、車輪を有することなく、振動により前進するため、キャラクタや動物の外観と合わせて趣向の有る動作を行わせることができ、平坦面での直進性を有し、目標への走行をさせるなど、種々の遊びを楽しむことができる。
【００５７】
そして、駆動機構31としては、ピニオン37とクラウンギア39とを用いて減速し、モータ33への負荷を低減して電池49の負担を減少させているため、電池49の長寿命化、ひいては動作時間を長くして長時間の走行を楽しむことができる。
【００５８】
そして、本実施の形態は、本体部11の上カバー15は両側を平行な平面で切り落とした略半球形状の形状とし、底部21も上カバー15に合わせて切り落とし面を有する形状としているも、上カバー15を半球形状の楕円回転球面形状として底部21も上カバー15に合わせた楕円形状とし、布帛カバー51などの布帛で覆うこともある。
【００５９】
更に、底部21において底面23の周囲に形成した湾曲面25は少なくとも底面23の前方に形成すれば足りるものであり、本体部11は、キャラクタ等の形状に合わせて上カバー15の表面に装飾部を形成することもある。
【産業上の利用可能性】
【００６０】
本発明に係る走行玩具10は、脚部を有することなく、小型でかわいげのあるキャラクタや動物を模した走行玩具10とすることが容易な玩具であって、直進性を有して趣向の有る走行を行わせて楽しむことのできる走行玩具10である。
【符号の説明】
【００６１】
１０  走行玩具
１１  本体部                      １５  上カバー
１７  スイッチボタン
２１  底部                        ２３  底面
２５  湾曲面                      ２７  突出部材
２９  軟質弾性部材
３１  振動機構                    ３３  モータ
３５  モータ軸                    ３７  ピニオン
３９  クラウンギア                ４１  回転軸
４３  偏心重錘                    ４５  重り部
４９  電池
５１  布帛カバー                  ５３  開口部
５５  穴
６０  ステージ
６１  庭園部                      ６３  窪み
６５  滑り台                      ６７  スロープ
７１  ハウス部                    ７３  室内
７５  広間                        ７７  ベッド
７９  回遊路
８１  誘導段差                    ８３  誘導傾斜
８５  誘導突出部                  ８７  突起体
８９  段差部
９１  走行面                      ９５  スプーン
【図１】
2014176557.tif 000003
【図２】
2014176557.tif 000004
【図３】
2014176557.tif 000005
【図４】
2014176557.tif 000006
【図５】
2014176557.tif 000007
【図６】
2014176557.tif 000008
【図７】
2014176557.tif 000009